【手続補正書】
【提出日】平成18年4月7日(2006.4.7)
【手続補正１】
【補正対象書類名】明細書
【補正対象項目名】全文
【補正方法】変更
【補正の内容】
【書類名】  明細書
【発明の名称】  バリア開閉装置、レンズ鏡筒およびカメラ
【特許請求の範囲】
【請求項１】  光学素子の前面を覆う閉じ位置と前記光学素子の光軸に略沿った開き位置との間でバリア部材を移動可能に支持するバリア支持手段と、弾性復元力で前記バリア部材を前記開き位置の方向に付勢する付勢手段と、前記付勢手段を弾性変形させて前記バリア部材を前記閉じ位置に移動させる作用部材とを有することを特徴とするバリア開閉装置。
【請求項２】  前記付勢手段は、一端部が固定され、他端部を自由端部とするバネ部材で構成され、前記作用部材で前記バネ部材を前方に向けて弾性変形させると、前記バネ部材の先端が変位して前記バリア部材を閉じ方向に移動させることを特徴とする請求項１に記載のバリア開閉装置。
【請求項３】  前記付勢手段は、前記光学素子の前面に配置され、楕円リング形状に形成されたバネ部材で構成され、前記作用部材により前記バネ部材の長軸方向の両端部が光軸中心側に押圧されると、前記バネ部材の短軸方向の変位により前記バリア部材を閉じ方向に移動させることを特徴とする請求項１に記載のバリア開閉装置。
【請求項４】  前記バリア部材は、光軸を中心として対称に一対設けられ、前記閉じ位置において、前記バリア部材の周囲に配置される外装部材とともに凸球面を構成し、前記一対のバリア部材が前記閉じ位置で対向する合わせ辺の一方が凸状に湾曲し、他方が凹状に湾曲したことを特徴とする請求項１、２または３に記載のバリア開閉装置。
【請求項５】  請求項１、２、３または４に記載のバリア開閉装置を前端に有することを特徴とするレンズ鏡筒。
【請求項６】  前群レンズを保持する前群レンズ保持枠を、前記前群レンズのワイド端での光学設計位置よりも像面側の繰り出し不足位置に繰り出し、前記前群レンズ保持枠を他のレンズ群に対して個別に移動させる前群レンズ移動手段を有することを特徴とする請求項５に記載のレンズ鏡筒。
【請求項７】  前記繰り出し不足位置が、短焦点距離端の近傍であることを特徴とする請求項６に記載のレンズ鏡筒。
【請求項８】  請求項６または７に記載のレンズ鏡筒を有し、被写体距離情報を取得するための測距手段と、前記前群レンズの前記光学設計位置と前記繰り出し不足位置との差情報を記憶した記憶手段と、前記前群レンズの現在位置を検出する前群レンズ位置検出手段と、前記前群レンズ位置検出手段からの前群レンズ位置情報と前記測距手段からの被写体距離情報と前記記憶手段からの差情報に基づいて、前記前群レンズの繰り出し量を算出し、前記前群レンズの駆動制御を行う制御手段とを有することを特徴とするカメラ。
【請求項９】  前記制御手段により前記前群レンズを駆動するタイミングがズーミング動作中であることを特徴とする請求項８に記載のカメラ。
【請求項１０】  前記制御手段により前記前群レンズを駆動するタイミングがズーミング動作完了後であることを特徴とする請求項８に記載のカメラ。
【請求項１１】  前記制御手段により前記前群レンズを駆動するタイミングがフォーカシング動作中であることを特徴とする請求項８に記載のカメラ。
【請求項１２】  短焦点距離側から中間焦点距離の間において、前記バリア部材を前記開き位置に対応した全開状態で保持し、長焦点距離側において、前記閉じ位置と前記開き位置との間の位置で前記バリア部材を光軸側に傾むかせて半開状態で保持することを特徴とする請求項８、９、１０または１１に記載のカメラ。
【請求項１３】  前記レンズ鏡筒は、
前記レンズ鏡筒の先端に対して相対的に光軸方向に移動する直進筒と、
前記バリア開閉装置の前記付勢手段と前記直進筒との間に位置するリング部材と、
前記前群レンズよりも像面側に位置するレンズを保持し、前記レンズ鏡筒に対して相対的に光軸方向に移動するレンズ枠とを有し、
前記レンズ鏡筒が非撮影の沈胴状態から撮影可能な短焦点距離状態に動作する場合には、前記直進筒の前記リング部材に対する押圧による前記付勢手段の弾性変形を解除することで、前記バリア部材を前記全開状態とし、
前記レンズ鏡筒が長焦点距離状態に動作する場合には、前記レンズ枠により押圧された前記リング部材が前記付勢手段を弾性変形させることで、前記バリア部材を前記半開状態とすることを特徴とする請求項１２に記載のカメラ。
【発明の詳細な説明】
【０００１】
【発明の属する技術分野】
本発明は、主としてズームレンズカメラに係り、バリア開閉装置、およびこのバリア開閉装置を備えたレンズ鏡筒およびカメラに関する。
【０００２】
【従来の技術】
従来、カメラのレンズ鏡筒内のレンズ先端部に設けられた一対もしくは複数のバリア部材をレンズ鏡筒等の繰り込み位置と繰り出し位置との移動動作を利用して、光軸に垂直な面内で開閉駆動するものが、特開平７−１９１３８０号公報に開示されている。
【０００３】
また、手動で、レンズ先端の扉状のバリア部分が被写体側に向かって開閉するものが、実開平０４−０９１３４１号公報に開示されている。
【０００４】
【発明が解決しようとする課題】
しかしながら、上述の従来例の特開平７−１９１３８０号公報に開示のバリア部材を有するカメラにおいては、レンズ鏡筒内に前記バリア部材を駆動するための複雑な機構を要し、前記バリア部材が開く際、レンズ鏡筒内に退避用の大きなスペースが必要となる。
【０００５】
また、実開平０４−０９１３４１号公報に開示のバリア機構は、開いたバリア部材の先端が尖っている為、バリア部材自体にフード効果が無く、フード部材とバリア部材の別々の部品が必要である為、部品点数が多くなる。
【０００６】
本出願に係る発明の目的は、複雑な構造を必要とせず、少ない部品点数で、小型化することができ、フード効果を十分に発揮することができるバリア開閉装置、レンズ鏡筒及びカメラを提供することである。
【０００７】
【課題を解決するための手段】
本願発明の目的を実現するバリア開閉装置の第１の構成は、光学素子の前面を覆う閉じ位置と前記光学素子の光軸に略沿った開き位置との間でバリア部材を移動可能に支持するバリア支持手段と、弾性復元力で前記バリア部材を前記開き位置の方向に付勢する付勢手段と、前記付勢手段を弾性変形させて前記バリア部材を前記閉じ位置に移動させる作用部材とを有するものである。
【０００８】
このバリア開閉装置の第１の構成では、バリア部材がレンズ等の光学素子の前方に開く為、本発明のバリア開閉装置をカメラに適用した場合、撮影時にバリア部材自体がフード効果を発揮し、より高画質な写真を撮影することが可能となり、しかもバリア開閉装置自体を小型化することができる。
【０００９】
また、バリア部材が光学素子の前方に開く為、本発明のバリア開閉装置をレンズ鏡筒に設けた場合、レンズ鏡筒の内部にバリア部材の収納スペースが不要となり、大きい開口でもレンズ鏡筒の外径を小さくすることが可能である。
【００１０】
さらに、専用のカムやネジを使用せずに、少ない部品点数で、簡単な機構でバリア部材の開閉を行うことが可能である。
【００１１】
本願発明の目的を実現するバリア開閉装置の第２の構成は、上記第１の構成において、前記付勢手段は、一端部が固定され、他端部を自由端部とするバネ部材で構成され、前記作用部材で前記バネ部材を前方に向けて弾性変形させると、前記バネ部材の先端が変位して前記バリア部材を閉じ方向に移動させるようにしたものである。
【００１２】
本願発明の目的を実現するバリア開閉装置の第３の構成は、上記第１の構成において、前記付勢手段は、前記光学素子の前面に配置され、楕円リング形状に形成されたバネ部材で構成され、前記作用部材により前記バネ部材の長軸方向の両端部が光軸中心側に押圧されると、前記バネ部材の短軸方向の変位により前記バリア部材を閉じ方向に移動させるようにしたものである。
【００１３】
このバリア開閉装置の第２、第３の構成では、一つの弾性部材をバリア開閉の両方向で用いることができ、部品点数を減らす事ができる。
【００１４】
本願発明の目的を実現するバリア開閉装置の第４の構成は、上記いずれかの構成において、前記バリア部材は、光軸を中心として対称に一対設けられ、前記閉じ位置において、前記バリア部材の周囲に配置される外装部材とともに凸球面を構成し、前記一対のバリア部材が前記閉じ位置で対向する合わせ辺の一方が凸状に湾曲し、他方が凹状に湾曲したものである。
【００１５】
このバリア開閉装置の第４の構成では、バリア部材を開いた際のバリア部材の先端が円弧型となり、入射する不要光線を効果的にカットすることが可能で、より高いフード効果が得られる。しかも、バリア部材が開いた際と閉まった際の両状態において、バリア部材と外装部材の隙間を小さくでき、その隙間からレンズ鏡筒内に入る迷光が少なくなり、ゴーストフレアの少ない、より高いフード効果が可能となる。
【００１６】
本願発明の目的を実現するレンズ鏡筒の第１の構成は、上記いずれかの構成のバリア開閉装置を前端に有するものである。
【００１７】
本願発明の目的を実現するレンズ鏡筒の第２の構成は、上記第１のレンズ鏡筒の構成において、前群レンズを保持する前群レンズ保持枠を、前記前群レンズのワイド端での光学設計位置よりも像面側の繰り出し不足位置に繰り出し、前記前群レンズ保持枠を他のレンズ群に対して個別に移動させる前群レンズ移動手段を有するものである。
【００１８】
このレンズ鏡筒の第２の構成では、前群レンズとフードとして機能するバリア部材の先端の距離を変えて、有効フード長さを変える事が可能となり、各焦点距離（＝各ズーム状態）で最適なフード効果を得る事が可能となる。
【００１９】
本願発明の目的を実現するレンズ鏡筒の第３の構成は、上記第２のレンズ鏡筒の構成において、前記繰り出し不足位置を、短焦点距離端の近傍とするものである。
【００２０】
このレンズ鏡筒の第３の構成では、ワイド端近傍での有効フード長を短くし、ワイド端近傍での画像を形成するのに必要な光線のケラレを防止でき、テレ端近傍での有効フード長を長くすることができ、テレ端近傍での不要な光線をより効果的にカットすることができる。
【００２１】
本願発明の目的を実現するカメラの第１の構成は、上記第２または第３の構成のレンズ鏡筒を有し、被写体距離情報を取得するための測距手段と、前記前群レンズの前記光学設計位置と前記繰り出し不足位置との差情報を記憶した記憶手段と、前記前群レンズの現在位置を検出する前群レンズ位置検出手段と、前記前群レンズ位置検出手段からの前群レンズ位置情報と前記測距手段からの被写体距離情報と前記記憶手段からの差情報に基づいて、前記前群レンズの繰り出し量を算出し、前記前群レンズの駆動制御を行う制御手段とを有するものである。
【００２２】
このカメラの第１の構成では、光学設計位置よりフィルム側に繰り込まれた前群レンズを、光学設計的位置に移動補正が可能となる。
【００２３】
本願発明の目的を実現するカメラの第２の構成は、上記第１の構成のカメラにおいて、前記制御手段により前記前群レンズを駆動するタイミングがズーミング動作中とするものである。
【００２４】
このカメラの第２の構成では、ピント移動の無いズーム動作が可能となる。
【００２５】
本願発明の目的を実現するカメラの第３の構成は、上記第１の構成のカメラにおいて、前記制御手段により前記前群レンズを駆動するタイミングがズーミング動作完了後とするものである。
【００２６】
このカメラの第３の構成では、ズーミング時と異なる時間に前群レンズを駆動できるので、少い電力の電源でカメラを駆動させることが可能となる。
【００２７】
本願発明の目的を実現するカメラの第４の構成は、上記第１の構成のカメラにおいて、前記制御手段により前記前群レンズを駆動するタイミングがフォーカシング動作中とするものである。
【００２８】
このカメラの第４の構成では、光学設計位置よりフィルム側に繰り込まれた前群レンズを光学設計的位置へ補正する移動補正量を、一回のフォーカシング移動量に含める事ができる為、カメラの駆動制御手順が簡素になる。
【００２９】
本願発明の目的を実現するカメラの第５の構成は、上記いずれかの構成のカメラにおいて、短焦点距離側から中間焦点距離の間において、前記バリア部材を前記開き位置に対応した全開状態で保持し、長焦点距離側において、前記閉じ位置と前記開き位置との間の位置で前記バリア部材を光軸側に傾むかせて半開状態で保持するようにしたものである。
【００３０】
このカメラの第５の構成では、同じフード長さでも、ワイド端近傍での画像を形成するのに必要な光線のケラレを防止でき、テレ端近傍での不要な光線をより効率的にカットすることができる。
【００３１】
本願発明の目的を実現するカメラの第６の構成は、上記第５の構成のカメラにおいて、前記レンズ鏡筒は、前記レンズ鏡筒の先端に対して相対的に光軸方向に移動する直進筒と、前記バリア開閉装置の前記付勢手段と前記直進筒との間に位置するリング部材と、前記前群レンズよりも像面側に位置するレンズを保持し、前記レンズ鏡筒に対して相対的に光軸方向に移動するレンズ枠とを有し、前記レンズ鏡筒が非撮影の沈胴状態から撮影可能な短焦点距離状態に動作する場合には、前記直進筒の前記リング部材に対する押圧による前記付勢手段の弾性変形を解除することで、前記バリア部材を前記全開状態とし、前記レンズ鏡筒が長焦点距離状態に動作する場合には、前記レンズ枠により押圧された前記リング部材が前記付勢手段を弾性変形させることで、前記バリア部材を前記半開状態とするようにしたものである。
【００３２】
このカメラの第６の構成では、一つのリング部材を、バリア部材を全開状態と半開状態にさせるために用いることにより、部品点数を減らし、小型化できる。
【００３３】
【発明の実施の形態】
（第１の実施の形態）
まず、本実施の形態のバリア開閉装置を組み込んだカメラの外観について説明する。
【００３４】
図１（ａ）〜図１（ｃ）は、本実施の形態のバリア開閉装置を組み込んだカメラがワイド状態にあるときの外観図である。また、図１（ｄ）は、カメラがテレ状態にあるときの側面図である。レンズ鏡筒の先端に配置されたバリア部材４０１、４１１が開き、レンズ面が露出して撮影可能となる。
【００３５】
図２（ａ）は、沈胴状態で、レンズ鏡筒の先端のバリア部材４０１、４１１が閉まっている。カメラを使用しない沈胴状態では、図２に示すようにバリア部材４０１、４１１は閉まりレンズ面を覆っている。バリア部材４０１、４１１の周りには外装部材である飾り部材としての前面化粧板４０６が配置されている。このバリア部材４０１、４１１の外面と、前面化粧板４０６は同一曲率の円筒形状面を有している。
【００３６】
バリア部材４０１、４１１が閉まった状態で、バリア部材４０１と前面化粧板４０６の上側の境界線がバリア部材４０１の外面曲率とほぼ同一の為、図３（ｂ）、（ｄ）のバリア部材４０１、４１１が開いた状態においても、バリア部材４０１と前面化粧板４０６との境界に大きな隙間が生じない。
【００３７】
次に、本実施の形態のバリア開閉装置について説明する。図４は本実施の形態の特徴をよく表す図面である。図４（ａ）はバリア部材が閉まった状態の斜視図である。
【００３８】
バリア部材４０１は円筒の曲率を有する曲面から成り、その両端にバリア部材４０１をレンズ鏡筒の前方において開閉させるための回転中心である回転軸部４０１ａと、その付近に後述するバネ４０２が嵌入する穴部４０１ｂを有している。また、その内面には反射防止の塗料が塗られている。
【００３９】
バネ４０２は、バリア部材４０１の穴部４０１ｂに嵌入する先端部４０２ａと、後述する直進筒に接触する凸部４０２ｂと、後述するネジ４０３で固定される固定部４０２ｃとを有している。
【００４０】
先端鏡筒４０４は、レンズ鏡筒の先端に位置し、バリア部材４０１の回転軸部４０１ａを回転可能に固定する軸受け部４０４ａと、バネ４０２を固定するバネ受け部４０４ｃと、バネ４０２の凸部４０２ｂを逃がしている穴部４０４ｂと、上述した前面化粧板４０６が接着固定される接着面４０４ｄを有する。ネジ４０３は、先端鏡筒４０４のバネ受け部４０４ｃにバネ４０２（固定部４０２ｃ）をネジ止めしている。
【００４１】
前面化粧板４０６（図４（ａ、ｂ）では左下のみ図示）は、バリア部材４０１の回転軸部４０１ａを回転可能に固定する軸受け部４０６ａ（図５（ｂ）参照）と、画像形成に必要な光束を通過させる樽型の開口部４０６ｂと、バリア部材４０１、４１１を逃がしている穴部４０６ｃと、先端鏡筒４０４と接着固定される接着面４０６ｄとを有する。また、前面化粧板４０６の表面は、前述したように、円筒面形状を成している。
【００４２】
直進筒４０５は、先端鏡筒４０４の内面に配置され、沈胴状態ではバネ４０２の凸部４０２ｂを被写体側（先端鏡筒４０４の先端側）に押し出す凸部４０５ｂを有している。
【００４３】
レンズ鏡筒がワイド状態およびテレ状態間の撮影状態にある場合では、図４（ｂ）に示すように、バネ４０２の凸部４０２ｂが直進筒４０５の凸部４０５ｂによって被写体側に押し込まれていないため、バネ４０２の両端に位置する先端部４０２ａは、像面であるフィルム側に撓もうとし、嵌入穴部４０１ｂが回転軸部４０１ａの外周に位置しているため、バリア部材４０１が開き方向に回転するように付勢されている（図６（ｂ）参照）。このバネ４０２の弾性力によって、レンズ鏡筒が撮影状態にある間は、バリア部材４０１は常に開いている。
【００４４】
次に、カメラのスイッチ（電源）をオフにすると、レンズ鏡筒が沈胴状態に変化する。その時、先端鏡筒４０４の先端に対して直進筒４０５の先端が近づき、直進筒４０５の凸部４０５ｂがバネ４０２の凸部４０２ｂを先端鏡筒４０４の前方に押し出そうとする。これにより、バネ４０２の先端部４０２ａも先端鏡筒４０４の前方に押し出される。
【００４５】
バネ４０２の先端部４０２ａと係合する嵌入穴部４０１ｂが回転軸部４０１ａの外周に位置するため、バリア部材４０１は閉まる方向に回転し、バリア部材４０１は閉まる（図５（ｂ）参照）。ここでのバリア部材４０１、４１１は硬質ゴム等の弾性部材であっても良い。
【００４６】
本実施の形態によれば以下の効果が得られる。
【００４７】
バリア部材４０１、４１１を開き位置に付勢するための付勢手段として細い線バネ４０２、４１２を用いているため、付勢手段を配置するスペースが小さくなり、レンズ鏡筒の小型化を図ることができるとともに、部品コストも低減することができる。
【００４８】
バリア部材４０１、４１１の内面に反射防止の塗料を塗布しているため、内面の反射を低減でき、より高画質の写真を撮影できる。
【００４９】
バリア部材４０１、４１１に曲率を持たせているため、上下の対角に近い部分でのフード効果を、平面形状のバリア部材を用いた場合よりも向上させることができる。
【００５０】
前面化粧板４０６とバリア部材４０１のうち、バリア部材４０１の回転軸に平行で近い方の境界線がバリア部材の外面曲率とほぼ同一の為、バリア部材が開いた状態でも閉まった状態でも、その境界の隙間が小さく、その隙間からレンズ鏡筒内に入射する迷光を少なくできる。その事で、非撮影時のフィルム面への光漏れや、撮影時のゴーストフレアを少なくできる。バリア部材が上下に開くため、上側バリア部材は、上方からの太陽光線が先端のレンズ面に入射することを防ぎ、フレア・ゴーストを防止できる。
【００５１】
また、上側のバリア部材４０１は、雨や雪がレンズ面に付着するのを防ぎ、写真の画質が低下するのを抑制することができる。下側のバリア部材４１１は、水面での太陽の反射光等、下からの不要な光線が先端のレンズ面に入射することを防ぎ、フレア・ゴーストを防止できる。バリア部材４０１、４１１を硬質ゴム等の弾性部材で形成した場合には、カメラが落下し、レンズ鏡筒が地面等に先に接触する際、まずバリア部材４０１、４１１が地面に接触し、バリア部材４０１、４１１が閉まる方向に移動する際の付勢手段（バネ４０２、４１３）の変形とバリア部材４０１、４１１自身の変形により、衝撃を吸収するため、レンズ鏡筒やカメラボディの破損が軽減される。
【００５２】
（第２の実施の形態）
図７および図８は本発明の第２の実施の形態を示す。
【００５３】
図７を用いて本実施の形態のバリア開閉装置について説明する。
【００５４】
バリア部材７１１は、平面のバリア面部を有し、先端鏡筒７０４に対する付け根中央に設けられた回転中心である回転軸部７１１ａを介してレンズ鏡筒の前方において開閉可能となるように配置されている。また、バリア部材７０１は、回転軸部７０１ａを介してレンズ鏡筒の前方において開閉可能となるように配置されている。さらに、先端鏡筒７０４の前面には、前面化粧板７０６が設けられている。
【００５５】
また、回転軸部７１１ａは、この外周に、後述するバネ７０２のラック部７０２ａに噛み合うギヤ部７１１ｂを有している。また、バリア部材７１１の内面（閉じたときにレンズ前面側を向く面）には、反射防止のための遮光線７１１ｃが刻まれている。
【００５６】
バネ７０２は、全体が弾性部材で正面（図７（ａ））から見て略楕円リング状に形成されており、バリア部材７１１のギヤ部７１１ｂと噛み合いバリア部材７１１を開閉するラック部７０２ａ（バリア部材７０１の場合は、ラック部７０２ｂ）を、バネ７０２の楕円短軸上で上下一対として有し、後述するリンク７１４、７１５の球部７１４ｃ、７１５ｃが嵌入する穴部７０２ｃ、７０２ｄを、バネ７０２の楕円長軸上で左右一対として有している。
【００５７】
先端鏡筒７０４は、レンズ鏡筒の先端に位置し、バリア部材７１１の回転軸部７１１ａを回転可能に固定する軸受け部７０４ａ、７０４ｂと、後述するリンク７１４、７１５を回転可能に保持する保持部７０４ｃ、７０４ｄを有している。
【００５８】
リンク７１４（７１５）は、先端鏡筒７０４の保持部７０４ｃ、７０４ｄに回転可能に保持される回転中心７１４ａ（７１５ａ）と、バネ７０２の穴部７０２ｃ（７０２ｄ）に嵌入している球部７１４ｃ（７１５ｃ）と、後述する直進筒７０５の先端７０５ａに押される接触部７１４ｂ（７１５ｂ）を有している。尚、リンク７１５もリンク７１４と同様な機構である。
【００５９】
直進筒７０５は、リンク７１４、７１５の接触部７１４ｂ、７１５ｂと接触する先端７０５ａを有している。
【００６０】
次に、図７及び図８を用いてバリア部材７１１が開いた状態から閉まる動作について説明する。
【００６１】
カメラのスイッチ（電源）をオフにすると、レンズ鏡筒の直進筒７０５の先端は、図７（ｃ）に示す状態から図８（ｃ）に示すように、先端鏡筒７０４の先端に対して近づいてくる。この時、直進筒７０５の先端７０５ａは、リンク７１４、７１５の接触部７１４ｂ、７１５ｂをレンズ鏡筒の先端側に向けて押圧する。
【００６２】
接触部７１４ｂ、７１５ｂで押圧されたリンク７１４、７１５は、その回転中心７１４ａ、７１５ａ周りに回転し、球部７１４ｃ、７１５ｃは、レンズ鏡筒の光軸に近づく。これにより、リンク７１４、７１５の球部７１４ｃ、７１５ｃが嵌合しているバネ７０２の穴７０２ｃ、７０２ｄも、光軸に近づくため、バネ７０２は楕円長軸方向に沿って左右の部分が圧縮され、これに伴い楕円短軸方向に沿って上下の部分が広がる。
【００６３】
バネ７０２の下側に配置されたラック部７０２ａは、下方に移動するため、そのラック部７０２ａに嵌合したバリア部材７１１のギヤ部７１１ｂが回転し、バリア部材７１１が閉まる。バリア部材７０１も同様の動作で閉まる。
【００６４】
カメラのスイッチ（電源）をオンにすれば、直進筒７０５の先端は、図７（ｃ）に示すように、先端鏡筒７０４の先端から離れる。この時、直進筒７０５の先端７０５ａで押されていたリンク７１４、７１５の接触部７１４ｂ、７１５ｂは自由状態になる。
【００６５】
この時、バネ７０２は、図７（ａ）に示す様な自由形状に戻ろうとし、バネ７０２の穴部７０２ｃ、７０２ｄは左右方向に広がり、リンク７１４、７１５は図７（ｃ）の位置に戻る。
【００６６】
バネ７０２のラック部７０２ａ、７０２ｂは上下で狭まるため、ラック部７０２ａは上方に移動し、そのラック部７０２ａと嵌合しているバリア部材７１１のギヤ部７１１ｂが回転し、バリア部材７１１が開く。破線で示されているバリア部材７０１も同様の動作で開く。
【００６７】
上記した本実施の形態によれば以下の効果が得られる。
【００６８】
上下のバリア部材７０１、７１１を、一つのバネ７０２で開く方向に付勢しているため、部品点数を削減できる。
【００６９】
バネ７０２が弾性部材で構成されているため、開いた状態のバリア部材７０１、７１１に対して閉まる方向への外力が加わっても、バネ７０２が弾性変形することで、その外力を吸収でき、バリア開閉装置の破損を防止できる。
【００７０】
バリア部材７０１、７１１の内面に遮光線７１１ｃを設けているため、内面の反射を低減でき、より高画質の写真を撮影することができる。
【００７１】
（第３の実施の形態）
図９〜図１１、及び図１５は本発明の第３の実施の形態を示す。
【００７２】
図１１により本実施の形態のカメラの構造を説明する。本実施の形態のカメラに設けられたレンズ鏡筒は、２群ズームレンズで、ズームモータ９３１によって繰り出される三段鏡筒である。また、フォーカス動作時には、先端鏡筒９０４内に配置されたフォーカスモータ（不図示）によって、１群レンズが繰り出される。
【００７３】
また、先端鏡筒９０４は、カムとカムピンの係合作用で繰り出される三段鏡筒の先端に位置する。
【００７４】
固定筒９２９は、ボディ９３０に固定されており、固定筒９２９の内面には、ズームモータ９３１によって回転しながら繰り出しされる第三鏡筒９２７と、その第三鏡筒９２７の内面に嵌合し、第三鏡筒９２７と共に非回転で繰り出される第三直進筒９２８が配置されている。
【００７５】
第三鏡筒９２７の内側には、第三鏡筒９２７に対して回転しながら繰り出しされる第二鏡筒９２５と、その内面に配置され第二鏡筒９２５と共に非回転で繰り出される直進筒９２６が配置されている。
【００７６】
第二鏡筒９２５の内側には、先端鏡筒９０４が非回転で繰り出されるように設けられており、先端鏡筒９０４の前には、第１の実施の形態で述べたバリア開閉装置が配置されている。
【００７７】
次に、前記構成からなる本実施の形態の動作を図１５に示すブロック図を参照しながら以下に説明する。
【００７８】
カメラがスイッチオフ（電源オフ）である図９に示す沈胴状態の時には、バリア開閉装置は、直進筒９２６（第１の実施の形態で説明した直進筒４０５に相当する）の押圧によって閉まっている。カメラのスイッチ（電源）をオンにすると、ズームモータ９３１の回転によって、レンズ鏡筒は図９の沈胴状態から図１０のワイド状態に変化し、直進筒９２６の先端が先端鏡筒９０４の先端から相対的に離れ、上側バネ９０２（第１の実施の形態で説明したバネ４０２に相当する）および下側バネ９１２（第１の実施の形態で説明したバネ４１２に相当する）の復元力によってバリア開閉装置は開く。
【００７９】
同様に、ズームモータ９３１の回転によって、二群枠９２２はワイド端の光学的設計位置に移動し、一群枠９２１は、光学的設計位置よりもフィルム面側の繰り出し不足位置に移動する。
【００８０】
この時、焦点距離検知手段１１０１はワイド端であることを検知し、記憶手段１１０２からワイド端時での一群枠９２１の繰り出し不足量を一群レンズ制御手段１１０５に伝える。
【００８１】
ここで、写真を撮影するためにカメラに設けられたレリーズボタンを操作すると、測距手段１１０４によって測定された被写体距離情報を一群レンズ制御手段１１０５に伝える。
【００８２】
一群レンズ位置検出手段１１０３では、先端鏡筒９０４内での現在の一群枠９２１の位置を検出し、一群レンズ制御手段１１０５に伝える。
【００８３】
一群レンズ制御手段１１０５では、現在の一群レンズの位置と一群枠９２１の繰り出し不足量と被写体距離情報から、フォーカシングのための一群枠９２１の繰り出し量を算出する。
【００８４】
算出された一群枠９２１の繰り出し量は、一群レンズ駆動手段１１０６に伝えられ、一群レンズ駆動手段１１０６が一群枠９２１を繰り出す。
【００８５】
そして、フィルム面に露光、フィルム巻き上げ、一群レンズ駆動手段１１０６によって一群枠９２１を初期位置戻す。
【００８６】
図１１はワイド端の無限撮影状態であり、バリア開閉装置に対して一群枠９２１が被写体側に繰り出しているため、画像を形成する入射光線端ＳＷがバリア部材９０１、９１１（第１の実施の形態で説明したバリア部材４０１、４１１に相当する）の先端でケラレる事なく間近を通過している。
【００８７】
次に、テレ端にズーミングすると、ズームモータ９３１の回転によって、レンズ鏡筒は図１０のワイド端状態から図１１のテレ端状態に変化し、一群枠９２１と二群枠９２２はテレ端の光学的設計位置に移動する。
【００８８】
バリア開閉装置に対する一群枠９２１の位置は、ワイド時よりもフィルム面側に繰り込まれているため、画像を形成する入射光線端ＳＴがバリア部材９０１、９１１の先端間近を通過している。
【００８９】
上記した本実施の形態によれば以下の効果が得られる。
【００９０】
フード装置に対して、ワイド時は一群を被写体側に繰り出し、テレ時はフィルム面側に繰り込んた位置を無限位置とし、またワイド時にはフード先端からレンズ第一面までの有効なフード長を短くする事で、画像を形成する有効光線がフードでケラレる事を防止し、テレ時は有効なフード長を長くすることで有害光線をより多くカットでき、高画質の写真を撮影することが可能となる。
【００９１】
また、バリア部材９０１、９１１は、開く状態と閉まる状態の２状態のみの間で駆動され、上述した第１の実施の形態で説明したようにバリア開閉装置の開閉機構を簡略化及び小型化することができる。
【００９２】
（第４の実施の形態）
図１２〜図１４は本発明の第４の実施の形態を示す。
【００９３】
図１２に基づき本実施の形態のカメラの構造を説明する。本実施の形態のカメラに設けられたレンズ鏡筒は、２群ズームレンズで、一つのモータによってズーミングとフォーカシングを交互に行う三段鏡筒である。
【００９４】
バリア開閉装置は、第１の実施の形態とほぼ同じ構成であり、以下に異なる点を述べる。
【００９５】
リング部材１０３１は、先端鏡筒１００４（第１の実施の形態で説明した先端鏡筒４０４に相当する）の内側前方に光軸方向へスライド嵌合し、直進筒１０２６と二群枠１０２２の凸部１０２２ａによって前方に押圧される。
【００９６】
二群枠１０２２は、外周上に、リング部材１０３１を押圧する凸部１０２２ａを有している。
【００９７】
次に、沈胴からワイド、テレへのズーミング時のカメラの動作について述べる。
【００９８】
カメラがスイッチオフ（電源オフ）である図１２に示す沈胴状態の時には、バリア開閉装置は、直進筒１０２６がリング部材１０３１を被写体側に押圧し、そのリング部材１０３１はバネ１０１２（第１の実施の形態で説明したバネ４０２に相当する）の凸部１０１２ｂを被写体側に押し出す事で、バリア部材１０１１が閉まっている。このとき、バリア部材１００１も同様な動作で閉まっている。
【００９９】
カメラのスイッチ（電源）をオンにすると、図１３に示すようにワイド状態になり、直進筒１０２６は、先端鏡筒１００４に対して相対的に後方に移動し、変形していたバネ１０１２が元の状態に戻る。そして、バネ１０１２の凸部１０１２ｂによって、リング部材１０３１は、フィルム面側に押された後、他から力を受けない位置に停止する。
【０１００】
バネ１０１２が元の形状に戻ることで、バリア部材１０１１、１００１は開く。
【０１０１】
バリア部材１０１１、１００１は全開状態で有るため、画像を形成する入射光線端ＳＷがバリア部材１０１１、１００１の先端でケラレる事なく間近を通過している。
【０１０２】
次に、ズーミングによってレンズ鏡筒が図１４に示すテレ端状態になると、二群枠１０２２が一群枠１０２１に最接近し、二群枠１０２２の凸部１０２２ａがリング部材１０３１を被写体側に押圧する。
【０１０３】
リング部材１０３１の押圧によって、バネ１０１２の凸部１０１２ｂが被写体側に押し出されるが、この時の押圧移動量は、直進筒１０２６による押圧移動量よりも少ないため、バリア部材１０１１、１００１は、図１４に示すように半開きの位置で停止する。
【０１０４】
バリア部材１０１１、１００１が半開きのとき、画像を形成する入射光線端ＳＴがバリア部材１０１１、１００１の先端間近を通過している。
【０１０５】
その後、逆にテレ端からワイド側へズーミングすれば、二群枠１０２２の凸部１０２２ａは、フィルム面側に相対移動し、押圧する作用を受けなくなったリング部材１０３１はバネ１０１２の復元力を受け、バネ１０１２の凸部１０１２ｂでフィルム面側に押されて移動する。バネ１０１２の復元力によって、バリア部材１０１１、１００１は全開となり、画像を形成する入射光線をケル事は無い。
【０１０６】
上記した本実施の形態によれば以下の効果が得られる。
【０１０７】
バリア開閉装置のバリア部材１００１、１０１１を、ワイド端から中間焦点距離では、開き角を全開にする事で、画像を形成する有効光線がフード（バリア部材１００１、１０１１）でケラレる事を防止し、テレ端近傍では、バリア部材１００１、１０１１の開き角を半開きにする事で、有害光線をより多くカットでき、高画質の写真を撮影することが可能となる。
【０１０８】
また、レンズ鏡筒内で機械的にフード部材としてのバリア部材１００１、１０１１の開き角を制御しているため、カメラ内部の電気的制御回路に負担をかける事無く、電気的制御内容を簡略化できる。
【０１０９】
【発明の効果】
請求項１、５に係る発明によれば、バリア部材が前方に開く為、本発明のバリア開閉装置をレンズ鏡筒に設けカメラに用いれば、撮影時にバリア部材自体がフード効果を発揮し、より高画質な写真を撮影することが可能となり、しかもバリア開閉装置自体を小型化することができる。
【０１１０】
また、バリア部材がレンズ鏡筒の前方に開く為、レンズ鏡筒の内部にバリア部材の収納スペースが不要となり、大きい開口でもレンズ鏡筒の外径を小さくすることが可能である。さらに、専用のカムやネジを使用せずに、少ない部品点数で、簡単な機構でバリア部材の開閉動作を行うことが可能である。付勢手段によって、常時バリア部材を開き位置の方向に付勢しているため、指等で押した際、バリア部材が閉まり、レンズ面への指紋の付着を防止し、写真の画質が低下しない。また、落下等の衝撃を受けた際、バリア部材が閉まり、付勢手段が衝撃力を一部吸収するため、バリア部材の破損が少ない。
【０１１１】
請求項２、３に係る発明によれば、一つのバネ部材をバリア開閉の両方向で用いることができ、部品点数を減らす事ができる。
【０１１２】
請求項４に係る発明によれば、バリア部材を開いた際のバリア部材の先端が円弧型となり、入射する不要光線を効果的にカットすることが可能で、より高いフード効果が得られる。
【０１１３】
請求項６に係る発明によれば、前群レンズとフード先端の距離を変えて、有効フード長さを変える事が可能となり、各焦点距離（＝各ズーム状態）で最適なフード効果を得る事が可能となる。
【０１１４】
請求項７に係る発明によれば、ワイド端近傍での有効フード長を短くし、ワイド端近傍での画像を形成するのに必要な光線のケラレを防止でき、テレ端近傍での有効フード長を長くすることができ、テレ端近傍での不要な光線をより効果的にカットすることができる。
【０１１５】
請求項８に係る発明によれば、光学設計位置よりもフィルム側に繰り込まれた前群レンズを、光学設計的位置に移動補正が可能となる。
【０１１６】
請求項９に係る発明によれば、ピント移動の無いズーム動作が可能となる。
【０１１７】
請求項１０に係る発明によれば、ズーミング時とは異なる時間に前群レンズを駆動できるので、少い電力の電源でカメラを駆動させることが可能となる。
【０１１８】
請求項１１に係る発明によれば、光学設計位置よりもフィルム側に繰り込まれた前群レンズを光学設計的位置へ補正する移動補正量を、一回のフォーカシング移動量に含める事ができる為、カメラの駆動制御手順が簡素になる。
【０１１９】
請求項１２に係る発明によれば、同じフード長さでも、ワイド端近傍での画像を形成するのに必要な光線のケラレを防止でき、テレ端近傍での不要な光線をより効率的にカットすることができる。
【０１２０】
請求項１３に係る発明によれば、一つのリング部材を、バリア部材を全開状態と半開状態とさせるために用いているため、部品点数を減らし、小型化できる。
【図面の簡単な説明】
【図１】
本発明に係る第１の実施の形態のバリア開閉装置を組み込んだカメラの外観を示し、（ａ）はワイド状態の上面図、（ｂ）はワイド端状態の正面図、（ｃ）はワイド端状態の側面図、（ｄ）はテレ端状態の側面図
【図２】
本発明に係る第１の実施の形態のバリア開閉装置を組み込んだカメラの外観を示し、（ａ）は沈胴状態の上面図、（ｂ）は沈胴状態の正面図、（ｃ）は沈胴状態の側面図
【図３】
本発明に係る第１の実施の形態のレンズ鏡筒先端の拡大図を示し、（ａ）はバリアが閉まった状態の斜視図、（ｂ）はバリアが開いた状態の斜視図、（ｃ）はバリアが閉まった状態の正面図、（ｄ）はバリアが開いた状態の正面図
【図４】
本発明に係る第１の実施の形態のレンズ鏡筒先端の一部部品を破断している拡大斜視図であり、（ａ）はバリアが閉まった状態を示し、（ｂ）はバリアが開いた状態を示す
【図５】
本発明に係る第１の実施の形態のレンズ鏡筒先端の一部部品を破断している拡大図であり、（ａ）はバリアが閉まった状態の正面図、（ｂ）はバリアが閉まった状態の側面図
【図６】
本発明に係る第１の実施の形態のレンズ鏡筒先端の一部部品を破断している拡大図であり、（ａ）はバリアが開いた状態の正面図、（ｂ）はバリアが開いた状態の側面図
【図７】
本発明に係る第２の実施の形態のレンズ鏡筒先端の拡大図であり、（ａ）はバリアが開いた状態である正面図、（ｂ）はバリアが開いた状態である側面図、（ｃ）はバリアが開いた状態である上面図
【図８】
本発明に係る第２の実施の形態のレンズ鏡筒先端の拡大図であり、（ａ）はバリアが閉まった状態である正面図、（ｂ）はバリアが閉まった状態である側面図、（ｃ）はバリアが閉まった状態である上面図
【図９】
本発明に係る第３の実施の形態のカメラの沈胴状態を示す側断面図
【図１０】
本発明に係る第３の実施の形態のカメラのワイド端状態を示す側断面図
【図１１】
本発明に係る第３の実施の形態のカメラのテレ端状態を示す側断面図
【図１２】
本発明に係る第４の実施の形態のカメラの沈胴状態側を示す断面図
【図１３】
本発明に係る第４の実施の形態のカメラのワイド端状態を示す断面図
【図１４】
本発明に係る第４の実施の形態のカメラのテレ端状態を示す断面図
【図１５】
本発明に係る第３の実施の形態のカメラのズーミングとフォーカシングの制御に係るフローチャート
【符号の説明】
４０１…上側バリア部材、
４１１…下側バリア部材、
４０２…上側バネ
４０２ａ…先端部
４０２ｂ…凸部
４０２ｃ…固定部
４１２…下側バネ
４０３…ネジ
４１３…ネジ
４０４…先端鏡筒
４０５…直進筒
４０６…前面化粧板
７０１…バリア部材
７０２…バネ
７０２ａ…ラック部
７０２ｂ…ラック部
７０２ｃ…穴部
７０４…先端鏡筒
７０４ａ…軸受け部
７０４ｂ…軸受け部
７０４ｃ…保持部
７０４ｄ…保持部
７０５…直進筒
７０５ａ…先端部
７０６…前面化粧板
７１１…バリア部材
７１１ａ…回転軸
７１１ｂ…ギヤ部
７１１ｃ…遮光線部
７１４…リンク
７１４ａ…回転中心
７１４ｂ…接触部
７１４ｃ…球部
７１５…リンク
７１５ａ…回転中心
７１５ｂ…接触部
７１５ｃ…球部
９０１…上側バリア部材
９０２…上側バネ
９０４…先端鏡筒
９０６…前面化粧板
９１１…下側バリア部材
９１２…下側バネ
９２１…一群枠
９２１ａ…ナット部
９２２…二群枠
９２３…送りネジ
９２６…直進筒９２４…スプリング
９２５…第二鏡筒
９２７…第三鏡筒
９２８…第三直進筒
９２９…固定筒
９３０…ボディ
９３１…ズームモータ
ＳＷ…ワイド端の画像を形成する入射光線端
ＳＴ…テレ端の画像を形成する入射光線端
１００１…上側バリア部材
１００２…上側バネ
１００４…先端鏡筒
１０１１…下側バリア部材
１０１２…下側バネ
１０１２ｂ…凸部
１０２１…一群枠
１０２２…二群枠
１０２２ａ…凸部
１０２６…直進筒
１０３１…リング部材
１１０１…焦点距離検知手段
１１０２…記憶手段
１１０３…一群レンズ位置検出手段
１１０４…測距手段
１１０５…一群レンズ制御手段
１１０６…一群レンズ駆動手段
【手続補正２】
【補正対象書類名】図面
【補正対象項目名】図１
【補正方法】変更
【補正の内容】
【図１】
2000292830.tif 000001
【手続補正３】
【補正対象書類名】図面
【補正対象項目名】図５
【補正方法】変更
【補正の内容】
【図５】
2000292830.tif 000002
【手続補正４】
【補正対象書類名】図面
【補正対象項目名】図６
【補正方法】変更
【補正の内容】
【図６】
2000292830.tif 000003
【手続補正５】
【補正対象書類名】図面
【補正対象項目名】図９
【補正方法】変更
【補正の内容】
【図９】
2000292830.tif 000004
【手続補正６】
【補正対象書類名】図面
【補正対象項目名】図１３
【補正方法】変更
【補正の内容】
【図１３】
2000292830.tif 000005
【手続補正７】
【補正対象書類名】図面
【補正対象項目名】図１５
【補正方法】変更
【補正の内容】
【図１５】
2000292830.tif 000006